(57)【特許請求の範囲】
【請求項１】
絶縁樹脂材より成るケース本体一側に、一対のねじりコイルばねを仕切壁を介して直列に配設し、前記本体ケースの他側上部に昇降自在に配設された押釦の押圧面に一方のねじりコイルばねの力点側腕を下方から弾接させると共に、他方のねじりコイルばねの力点側の腕を前記一方のねじりコイルばねの力点側腕に下方から弾接するよう配設し、前記ケース本体の一側底面に前記一方のねじりコイルばねが常時接触する固定接点を配設し、他側底面に一方のねじりコイルばねの力点側腕が当接したとき前記固定接点と電気的に導通する固定接点を設けたことを特徴とする押釦スイッチ。
【請求項２】
前記一方のねじりコイルばねに対して他方のねじりコイルばねを高位に配設して他方のねじりコイルばねの力点側の腕に対する一方のねじりコイルばねの力点側の腕の接触ポイントが押釦の押し下げに応じて腕先端部側から腕基端部側へ移動するように構成したことを特徴とする請求項１記載の押釦スイッチ。
【発明の詳細な説明】
【０００１】
【発明の属する技術分野】
本発明は押釦スイッチに関するものであり、特に、二つのねじりコイルばねによって固定接点を開閉する押釦スイッチに関するものである。
【０００２】
【従来の技術】
ねじりコイルばねを可動接点として用いた押ボタンスイッチとしては図２に示すように、押釦１を付勢しているコイルばね２の一端を可動接点６とし、この可動接点６をスイッチ本体３の内周壁面に突設している突部４に摺動させながら突部４の下方で突部４の表面と同じ平面内に設けてある固定接点５に摺動接触させて可動接触部６と固定接点部５との間を導電させるようにしたものが提供されている。
【０００３】
しかし、ねじりコイルばねは、引っ張りコイルばね、圧縮コイルばねとは異なって、常時、捩じりモーメントを受けるものであるため、一個のねじりコイルばねでエネルギを吸収するには、ばね素線径を太く、又、コイル内径（コイル有効径）を大きくせざるを得ず、スイッチ全体の小型化に貢献できないという問題がある。
【０００４】
【発明が解決しようとする課題】
そこで図３に示すように、二個のねじりコイルばね７，８を互いにＬ字形に配置してこれらねじりコイルばね７，８の力点側の腕７ａ，８ａを上下に重ね合わせ、そして上方のねじりコイルばねの力点側の腕７ａにより下側のねじりコイルばね８ｂを押ボタンで上方から押し下げる構成とし、これにより、ばね一個当たりの負担を軽減するものを想定できるが、このようにすれば、平面的なばねの設置面積が増し、逆にスイッチが大型化してしまうという問題がある。
【０００５】
そこで、小型でしかも耐久性の高いスイッチを提供するために解決すべき技術的課題が生じてくるのであり、本発明はこの課題を解決することを目的とする。
【０００６】
【課題を解決するための手段】
本発明は上記目的を達成するために提案されたものであり、絶縁樹脂材より成るケース本体一側に、一対のねじりコイルばねを仕切壁を介して直列に配設すると共に、前記本体ケースの他側上部に昇降自在に配設された押釦の押圧面に一方のねじりコイルばねの力点側腕を下方から弾接させると共に、他方のねじりコイルばねの力点側の腕を前記一方のねじりコイルばねの力点側腕に下方から弾接するよう配設し、前記ケース本体の一側底面に前記一方のねじりコイルばねが常時接触する固定接点を配設し、他側底面に一方のねじりコイルばねの力点側腕が当接したとき前記固定接点と電気的に導通する固定接点を設けた押釦スイッチを提供するものである。
【０００７】
【発明の実施の形態】
以下、本発明の一実施の形態を図面に従って詳述する。
図１は本発明の一実施の形態に係る押釦スイッチの内部構造を示す一部切開図で、絶縁性樹脂材の成形品からなるケース本体１０は上面開口の箱状に形成され、その開口を樹脂材より成るカバー１１で閉鎖して内部に収容室１０ａを形成している。そしてこの収容室１０ａはその一側がほぼ中央部より天井側に向かって延びた仕切壁１２により二室に分割されていて、その一方に、仕切壁１２の一側面１２ａとこれに対向するケース本体内面１０ｂとに両端部を支持させて第一ねじりコイルばね１３が配設され、他方に前記仕切壁１２の他側面１２ｂとこれに対峙するケース本体内面１０ｃに両端部を支持させて第二ねじりコイルばね１４が配設されている。これら第一及び第二ねじりコイルばね１４は、本体ケース１０の一側底面に形成された凹部２０，２０にそれぞれ上方から係合した状態で、前記仕切壁１２側と反対側の支点側の腕１３ａ，１４ａがそれぞれケース本体１０の底面又はケース本体１０に固定されている。そして第一ねじりコイルばね１３の力点側の腕１３ｂは本体ケース１０の他側へ延びていて、前記仕切壁１２の一側面１２ａの上下方向への案内により、前記カバー１１の他端部側に設けられた押釦案内部１５に昇降自在に設けられている押釦１７の押圧面１８に下方から弾接して、この押釦１７に復帰方向に付勢するようになっている。一方、第二ねじりコイルばね１４の力点側の腕１４ｂは前記仕切壁１２の他側面１２ｂに沿って上下方向に移動するようになっていて、その先端部１４ｃは、本体ケース１０の他側へ適宜延びた後、前記第一ねじりコイルばね１３の力点側の腕１３ｂの下方でＬ字状に折り曲げられ、その折り曲げられた先端部１３ｂで第一ねじりコイルばね１３の力点側の腕１３ｃを支持し、そのねじりにより第１コイルねじりコイルばね１３に作用する荷重を分担するようになっている。
【０００８】
さらに、ケース本体１０の一側底面１０ｅに前記第一ねじりコイルばね１３と接触するよう一方の固定接点の第一導電板１６がインサートされ、ケース本体１０の他側底面１０ｆに第一ねじりコイルばね１３の力点側の腕１３ａと当接するよう他方の固定接点の第二導電板１９がインサートされる。そして、前記第一導電板１６及び第二導電板１９に一体に形成してある端子（図示せず）はそれぞれスイッチ本体１０の他端面より外部に突出するようにしてある。勿論、前記カバー１１の押釦案内部１５は前記押釦１７を昇降自在に案内し得るよう両端が開口する筒状に形成され、前記押釦１７はその下部がケース外への抜け出しが規制し得るよう径方向外方に拡径されている。
【０００９】
つまり本実施形態に係る押釦スイッチは、ケース本体１０内一側に樹脂製の仕切壁１２を介して第一及び第二ねじりコイルばね１３，１４を直列状に配設することにより、力点側の腕１３ａ，１４ａ同士の緩衝のないねじり動作を可能としし、そして、第一ねじりコイルばね１３の力点側の腕１３ａを押釦１７下に延出させて弾接させると共に、第一ねじりコイルばね１３の力点側の腕１３ａで第二ねじりコイルばね１４の力点側の腕１４ｂを押圧して第二導電板１９に当接させるように構成して、第一ねじりコイルばね１３，第二ねじりコイルばね１４の小型化を達成し、スイッチ全体の小型化を達成する。
【００１０】
そしてこの場合に、図１に示す如く、前記第二ねじりコイルばね１４を支持するケース本体１０の凹部２０の高さを第一ねじりコイルばね１３を支持する凹部２０よりも高くして第二ねじりコイルばね１４の力点側の腕１４ｂに対する第一ねじりコイルばね１３の力点側の腕１３ｂの接触ポイントが押釦１７の押し下げに対応して腕先端部側から腕基端部側へ移動するように設定すれば、押釦１７の押し下げの際の操作力を一定に設定することが可能となり、二個のねじりコイルばねを同時に押し下げる構成でありながら、軽い操作力で押釦１７の押し下げを行うことができる。
【００１１】
なお、本実施の形態にあっては、前記仕切壁１２を本体ケース１０と一体形成することにより各ねじりコイルばね１３，１４同士の短絡を防ぎ且つねじりコイルばね１３，１４の力点側の腕１３ｂ，１４ｂ同士の緩衝を防いでいるが、短絡を防ぐためには、仕切壁１２の両側面１２ａ，１２ｂにコーティング、接着等で絶縁材の皮膜を形成するのみで足り、また、仕切壁１２のずれや回転を規制するためには仕切壁１２を本体ケース１０に接着するのみで対応することができる。
【００１２】
次に、本実施形態に係る押釦スイッチの作用を図１を参照して詳述する。
図１において、押釦１７が押し下げられると、この押釦１７の押圧面１８と弾接している第一ねじりコイルばね１３は仕切壁１２の一側面１２ａを摺動案内面として本体ケース１０の底面側、すなわち、第二導電板１９側へ押し下げられるこの押し下げによって第一ねじりコイルばね１３はねじられ、前記押釦１７に対する弾発力を蓄積する。押釦１７の押下げが進み、第一ねじりコイルばね１３の力点側の腕１３ａが第二ねじりコイルばね１４の力点側の腕１４ｂの先端部１４ｃに当接してなおも押し下げられると、第二ねじりコイルばね１４も前記仕切壁１２の他側面１２ｂに沿ってねじられる。そしてこの押し下げ位置よりさらに押釦１７を押し下げると、第一ねじりコイルばね１３は、この第一ねじりコイルばね１３及び第二ねじりコイルばね１４の反発力に抗してケース本体１０の他側底面１０ｆに埋設してある第二導電板１９と接触し、第一導電板１６と第二導電板１９とが電気的に導通してスイッチＯＮとなる。
【００１３】
次に、押釦１７の押圧力を解除すると第一及び第二ねじりコイルばね１３，１４は前記押釦１７の押圧時に蓄えた弾発力で復元し、それぞれ前記仕切壁１２の両側面１２ａ，１２ｂに沿って復元する。この捩じり状態の復元により第二ねじりコイルばね１４の力点側の腕１３ｃが第二導電板１９から離脱して、スイッチＯＦＦとなる。もちろん、第一ねじりコイルばね１３の復元力により、押釦１７は押し込み前の元の位置に復帰する。
【００１４】
尚、本発明は、本発明の精神を逸脱しない限り種々の改変を為すことができ、そして、本発明が該改変されたものに及ぶことは当然である。
【００１５】
【発明の効果】
以上、本発明の一実施の形態に詳述したように絶縁樹脂材より成るケース本体一側に、一対のねじりコイルばねを仕切壁を介して直列に配設すると共に、前記本体ケースの他側上部に昇降自在に配設された押釦の押圧面に一方のねじりコイルばねの力点側腕を下方から弾接させると共に、他方のねじりコイルばねの力点側の腕を前記一方のねじりコイルばねの力点側腕に下方から弾接するよう配設し、前記ケース本体の一端部底面に前記一方のねじりコイルばねが常時接触する固定接点を配設し、他側底面に一方のねじりコイルばねの力点側腕が当接したとき前記固定接点と電気的に導通する固定接点を設けたので、コイルばね自身の小型化と短絡防止を達成することができ、スイッチ全体の小型化に寄与することができると共に、固定接点のセルフクリーニングを達成することができる等、正に著大なる効果を発揮する発明である。さらに、前記一方のねじりコイルばねに対して他方のねじりコイルばねを高位に配設して他方のねじりコイルばねの力点側の腕に対する一方のねじりコイルばねの力点側の腕の接触ポイントが押釦の押し下げに応じて腕先端部側から腕基端部側へ移動するように構成したので、押釦の押し下げの際の操作力を一定に設定することが可能となり、二個のねじりコイルばねを押し下げる構成でありながら、軽い操作力で押釦の押し下げを行うことができるという優れた効果を発揮する。
【図面の簡単な説明】
【図１】本発明の一実施の形態に係る押釦スイッチの一部切開図である。
【図２】従来の押釦スイッチを示す図であり、図２（ａ）は平面図、図２（ｂ）は図２（ａ）のＡ−Ａ線断面矢視図である。
【図３】従来の押釦スイッチを示す平面図である。
【符号の説明】
１０  ケース本体
１７  押釦
１２  仕切壁
１３  第一ねじりコイルばね（一方のねじりコイルばね）
１４  第二ねじりコイルばね（他方のねじりコイルばね）
１６  第一導電板（固定接点）
１９  第二導電板（固定接点）
【図１】
0003820738.tif 000002
【図２】
0003820738.tif 000003
【図３】
0003820738.tif 000004